(57)【要約】【課題】降下傾斜路に水溜りをできにくくして、越流水の水面に対する滴下音の発生を軽減できるようにした可動トラップ式水洗便器を提供する。【解決手段】本発明の可動トラップ式水洗便器１は、便器本体１０のボウル１１の排水路１２に後続してトラップ収納室２０が設けられ、トラップ収納室２０に、排水開口部３２が排水可能に動作するトラップ部３０を有した水洗便器である。トラップ収納室２０は、トラップ部３０の下方に配された内底部２１と、トラップ部３０から排出された水を外部（外部排水管２）に排出する外部排出口２５とを有しており、内底部２１は、トラップ部３０の排水開口部３２から排出された水を外部排出口２５へ流す降下傾斜路２３を備えており、降下傾斜路２３の路面に撥水面が形成されている。【選択図】図１
2016084600.tif 000002
【特許請求の範囲】
【請求項１】
便器本体のボウルの排水路に後続してトラップ収納室が設けられ、該トラップ収納室に、一端の接続開口部が前記排水路に接続され、他端の排水開口部が排水可能に動作するトラップ部が収納された可動トラップ式水洗便器において、
前記トラップ収納室は、前記トラップ部の下方に配された内底部と、前記トラップ部から排出された排出水を外部に排出する外部排出口とを有しており、
前記内底部は、前記トラップ部の前記排水開口部から排出された排出水を前記外部排出口へ流す降下傾斜路を備え、該降下傾斜路の路面に撥水面が形成されていることを特徴とする可動トラップ式水洗便器。
【請求項２】
請求項１において、
前記排水路に接続された前記トラップ部の前記接続開口部側は、前記トラップ収納室の前壁部側に配されており、
前記内底部のうちの、前記前壁部と前記内底部の入り隅部から前記降下傾斜路にいたるまでの部位にも撥水面が形成されている可動トラップ式水洗便器。
【発明の詳細な説明】
【技術分野】
【０００１】
本発明は、トラップ部が動作して排水する構成となっている可動トラップ式水洗便器に関する。
【背景技術】
【０００２】
可動トラップ式水洗便器は、便器本体のボウルの排水路に後続して設けられたトラップ収納室に、ボウルの排水路に接続され、駆動機構により排水開口部が上下回動されるようにしたトラップ部が収納された構成となっている（たとえば、特許文献１参照）。
【０００３】
このような可動トラップ式水洗便器は、トラップ部の自由端である排水開口部が上向き状態（給水姿勢）にあるときにボウルに洗浄水が溜められ、排水開口部が下向き状態（排水姿勢）にあるときにボウルの汚水が排水開口部より排出されるようになっている。
【０００４】
トラップ部の排水開口部より排出された汚水などの排出水は、トラップ収納室の内底部に形成された流路を通って外部排出口へと流れていく。この流路は、水勾配（外部排出口への下り勾配）が設けられた降下傾斜路となっているため、排出水を滞留させることなく外部排出口へと送り出すことができる。
【先行技術文献】
【特許文献】
【０００５】
【特許文献１】特開２０１３−２５６７９５号公報
【発明の概要】
【発明が解決しようとする課題】
【０００６】
しかしながら、降下傾斜路の傾斜は、トラップ収納室の寸法制限などがあるため通例では緩やかなものとなっており、トラップ部が給水姿勢となった後にも、降下傾斜路にわずかに水が残ったままとなる場合もある。特に、外部排出口につながる円環状の降下傾斜路には水溜りができやすい。このように降下傾斜路に水溜りができ、その水溜りに、トラップ部の排水開口部が上向きの封水状態のときにオーバーフローする水（越流水）が落下すれば、ピチャピチャという水面への滴下音が生じる。このような滴下音が発生すれば、使用者に漏水が発生したものと誤認させるおそれがある。
【０００７】
特許文献１のものは、このような問題点を解決すべく、越流水が落下する位置に水溜りができにくい凸部を設けて、越流水が落下しても音が発生しないようにしてある。ところが、越流水の落下位置にはばらつきがあるため、降下傾斜路の凸部の近傍に水溜りができている場合には、その水溜りに越流水が落下して上述したような滴下音が発生するおそれがあり、滴下音の発生防止の確実な方法とはいえない。
【０００８】
本発明は、このような事情を考慮して提案されたもので、その目的は、降下傾斜路に水溜りをできにくくして、越流水の水面に対する滴下音の発生を軽減できるようにした可動トラップ式水洗便器を提供することにある。
【課題を解決するための手段】
【０００９】
上記目的を達成するために、本発明の可動トラップ式水洗便器は、便器本体のボウルの排水路に後続してトラップ収納室が設けられ、トラップ収納室に、一端の接続開口部が排水路に接続され、他端の排水開口部が排水可能に動作するトラップ部が収納された可動トラップ式水洗便器において、トラップ収納室は、トラップ部の下方に配された内底部と、トラップ部から排出された排出水を外部に排出する外部排出口とを有しており、内底部は、トラップ部の排水開口部から排出された排出水を外部排出口へ流す降下傾斜路を備え、降下傾斜路の路面に撥水面が形成されていることを特徴とする。
【発明の効果】
【００１０】
本発明の可動トラップ式水洗便器によれば、上述の構成となっているため、降下傾斜路には水溜りができにくくなり、その結果、越流水の水面に対する滴下音の発生を軽減させることができる。
【図面の簡単な説明】
【００１１】
【図１】本発明の一実施形態に係る可動トラップ式水洗便器の縦断面図である。
【図２】可動トラップ式水洗便器の要部断面斜視図である。
【発明を実施するための形態】
【００１２】
以下に、本発明の実施の形態について、図１および図２をもとに説明する。まず、以下の実施形態に係る可動トラップ式水洗便器１（以下、水洗便器１という）の基本構成について説明する。
【００１３】
本水洗便器１は、便器本体１０のボウル１１の排水路１２に後続してトラップ収納室２０が設けられている。そのトラップ収納室２０には、一端の接続開口部３１が排水路１２に接続され、他端の排水開口部３２が排水可能に動作するトラップ部３０が収納されている。
【００１４】
トラップ収納室２０は、トラップ部３０の下方に配された内底部２１と、トラップ部３０から排出された排出水を外部に排出する外部排出口２５とを有している。内底部２１は、トラップ部３０の排水開口部３２から排出された排出水を外部排出口２５へ流す降下傾斜路２３を備えており、その降下傾斜路２３の路面に撥水面が形成されている。
【００１５】
ついで、本実施形態に係る水洗便器１の構造および特徴事項について詳細に説明する。
【００１６】
本水洗便器１は、図１に示すように、壁３に埋設された上下方向に延びる外部排水管２に対して横向き排水する壁排水型の洋風便器である。この外部排水管２は、マンションなどで上層階と下層階とで共用できるようになっている。なお以下では、人が水洗便器１に腰かけたときの背側（図１における右側）を「後ろ」、胸側（図１における左側）を「前」として説明する。
【００１７】
水洗便器１の便器本体１０は床４に設置、固定されている。また、便器本体１０の上面には開閉自在な蓋６が取り付けられている。
【００１８】
便器本体１０内には、洗浄水や汚水を貯留するボウル１１が設けてある。ボウル１１の上部の内周囲には、ボウル１１内に洗浄水を供給するためのリム１３が形成してある。また、ボウル１１の下部には、外部排水管２の方向に向かう横向きの排水路１２が形成してある。
【００１９】
便器本体１０内には、排水路１２に後続するトラップ収納室２０が設けてある。このトラップ収納室２０内には、ボウル１１の排水路１２に接続された可撓性のトラップ部３０が設けてある。トラップ部３０としては、図１に示すように、たとえば蛇腹状のホースで形成されたものを使用することができる。
【００２０】
トラップ部３０は、トラップ収納室２０内において、ボウル１１の排水路１２に接続された接続開口部３１側を支点として、自由端である排水開口部３２が上向きとなる給水姿勢と、やや下方横向きとなる排水姿勢との間で上下回動されるように配されている。なお、図１には、給水姿勢のときのトラップ部３０を実線で図示し、排水姿勢のときのトラップ部３０を２点鎖線で図示した。
【００２１】
図１に示すように、トラップ部３０の排水開口部３２の外周には支持リング３３が嵌め込まれている。この支持リング３３が、トラップ収納室２０の側壁部で回動自在に支持した回動軸３４のアーム３５に連結されている。そして、そのアーム３５の回動動作にともない、支持リング３３が取り付けられたトラップ部３０の排水開口部３２が上下に回動されるようになっている。
【００２２】
このようなトラップ部３０の動作は、回動軸３４を電動モータ４１で駆動することによりなされる。また、ボウル１１のリム１３に洗浄水を供給する配管に電磁弁４２が設けてある。電動モータ４１および電磁弁４２は制御装置４３で制御される。
【００２３】
このように電動モータ４１を含んで構成された駆動機構は、つぎのような動作をなす。すなわち、用便後に洗浄操作がなされた時には、電磁弁４２が開弁されてリム１３からボウル１１内に洗浄水が供給され、その後に電動モータ４１が正転されてトラップ部３０が排水姿勢に下回動される。また、洗浄操作の所定時間後に、電動モータ４１が逆転されてトラップ部３０が給水姿勢に上回動され、その後に電磁弁４２が閉弁してリム１３からボウル１１内への洗浄水の供給が停止される。
【００２４】
トラップ部３０が上位置（給水姿勢）にあるときには封水状態となり、図１の破線で示すように、トラップ部３０内にも、ボウル１１内とほぼ同レベルの水位となるように洗浄水が貯留される。この封水状態のときには、図２に示すように、トラップ部３０の排水開口部３２より貯留水がオーバーフローし、そのオーバーフロー水（越流水８）が下方に滴下する場合がある。これについては後述する。
【００２５】
トラップ収納室２０には、前壁部２６と、後壁部と、両側壁部と、底部（内底部２１）と、天井部とより囲まれた、トラップ部３０を収納するための空間が形成されている。また、前壁部２６の下部には開口２４（図２参照）が設けてある。トラップ収納室２０に収納されたトラップ部３０の一端（接続開口部３１）は、その開口２４を介して、ボウル１１の排水路１２に接続されている。また、後壁部の下部には、外部排水管２に通じる外部排出口２５が開設してある。
【００２６】
内底部２１は下流側が一段低くなった段差形状とされ、前後方向の中途に設けた段差壁２２より後ろ側に、路面が緩やかな水勾配の傾斜面となった降下傾斜路２３が形成してある。この降下傾斜路２３が外部排出口２５へと通じている。なお、図例の外部排出口２５は円環状であるため、それに合わせて降下傾斜路２３も湾曲面となっているが、水がより流れやすい、平坦な傾斜面としてもよい。
【００２７】
トラップ部３０が排水姿勢となっているとき、つまり自由端である排水開口部３２が下位置にあるときには、その排水開口部３２は降下傾斜路２３の路面に接触または近接した状態にあり、その開口は下方を向く。排水姿勢においては、トラップ部３０はこのような状態になり、排水開口部３２からは汚水や洗浄水が降下傾斜路２３へと排出される。
【００２８】
そして、トラップ部３０より排出された排出水は、降下傾斜路２３の傾斜面を伝い外部排出口２５を通って外部排水管２へとスムーズに排水される。本実施形態では特に、トラップ部３０が下回動されたときに、段差壁２２よりも下流側に位置する降下傾斜路２３に排水開口部３２が落ち込むことで排水開口部３２の開口がより下方を向くため、排出水が排水開口部３２より流れやすくなっている。
【００２９】
また、上述したように、このような降下傾斜路２３は、給水姿勢の際にトラップ部３０の排水開口部３２より落下する越流水８を路面で受け止める作用も有している（図２参照）。したがって、越流水８も排水姿勢の際の排出水と同様に、降下傾斜路２３の路面を伝って下流側へと流れていく。
【００３０】
このように越流水８を含む排出水を外部排出口２５へと流し出す降下傾斜路２３の路面には、撥水性を施した撥水面が形成されている。撥水面としては、後処理により形成された撥水被膜や、素材自体に撥水性があるものなどが含まれる。
【００３１】
このように、降下傾斜路２３の路面が撥水面となっているため、その下り勾配とあいまって、排水姿勢の際にトラップ部３０から排出した汚水や洗浄水などの排出水をスムーズに下流側へと流し、排出水の一部が路面上に滞留、残留することを防止することができる。つまり、降下傾斜路２３には水溜りができる可能性は低い。
【００３２】
以上のように、降下傾斜路２３には水溜りができにくいため、図２のように、トラップ部３０が上位置（給水姿勢）にあるときに排水開口部３２より降下傾斜路２３に落下するような越流水８があふれ出ても、その越流水８は水面に対して落下するおそれはない。よって、そのような場合にはピチャピチャという滴下音は発生しない。このように、本水洗便器１によれば、越流水８の発生にかかわらず、水面に対する滴下音の発生を軽減でき、そのため使用者に漏水と判断されることを少なくすることができる。
【００３３】
このように、撥水面は、トラップ部３０が給水姿勢のときにあふれ出た越流水８の落下時の水面への滴下音の発生を防止することを目的として、降下傾斜路２３に水溜りを作らせないためのものである。したがって、撥水面は、降下傾斜路２３のうちの、越流水８の滴下位置を含む近傍部位に形成されればよい。ただし、トラップ部３０の給水姿勢の際の上位置が、回動動作のたびにわずかに変動したり、位置調整されたりすることで、越流水８の落下位置が不安定となることを考慮すれば、降下傾斜路２３の路面全体を撥水面とすることが望ましい。
【００３４】
さらには、路面への撥水被膜の形成効率を考慮して、または排出水が段差壁２２よりも上流側に入り込むことも考慮して、内底部２１の全体の路面を撥水面とすることが望ましい。つまり、図例の水洗便器１においては、降下傾斜路２３に加え、内底部２１のうちの、トラップ部３０の接続開口部３１が配された前壁部２６と内底部２１の入り隅部２７から、降下傾斜路２３にいたるまでの部位にも撥水面を形成することが望ましい。なお、図２は断面斜視図であり、その図における撥水面をクロスハッチングを付して示した。
【００３５】
また、トラップ収納室２０の内底部２１は段差形状となっていなくてもよい。その場合にはたとえば、図１の例と同様に、内底部２１の中途から下流側にかけて降下傾斜路２３が形成されたものでもよいし、内底部２１の前端から後端までの全体に降下傾斜路２３が形成されたものでもよい。
【００３６】
本実施形態では、壁排水型の水洗便器１を例示したが、降下傾斜路２３の路面を撥水面とした構成は、トラップ部３０からの排出水を下方に排出する床排出型の洋風便器にも適用が可能である。
【符号の説明】
【００３７】
１          水洗便器（可動トラップ式水洗便器）
２          外部排水管（外部）
１０        便器本体
１１        ボウル
１２      排水路
２０      トラップ収納室
２１      内底部
２３      降下傾斜路
２５      外部排出口
２６      前壁部
２７      （前壁部と内底部の）入り隅部
３０      トラップ部
３１      接続開口部
３２      排水開口部
【図１】
2016084600.tif 000003
【図２】
2016084600.tif 000004